(57)【要約】【課題】  デジタルコンテンツを有体媒体に化体させた有体複製物を、購入者に引き渡す。【解決手段】  販売者端末３は、登録データＤＢ１２２１に登録されている何れかのデジタルコンテンツ，その購入数量及び発送先を夫々指定するメッセージを、コンテンツ販売サーバ１１へ送信する。コンテンツ販売サーバプログラム１１２１に従って動作するコンテンツ販売サーバ１１のＣＰＵ１１０は、指定されたデジタルコンテンツ，並びに、その購入数量及び発送先を夫々指定するメッセージを有体複製物製造発送サーバ１３へ送信する。有体複製物製造発送サーバプログラム１３２１に従って動作する有体複製物製造発送サーバ１３のＣＰＵ１３０は、受信したデジタルコンテンツをその内容に対応する有体媒体に化体させることによって有体複製物を製造するとともに、指定された発送先へ当該有体複製物を発送するための処理を実行する。【選択図】  図１
2005092781.tif 000002
【特許請求の範囲】
【請求項１】
コンピュータネットワークを通じて端末から送信された要求に応じて、その要求において指定されたデジタルコンテンツの有体複製物を製造し、同要求において指定された引渡先へ引き渡すためのデジタルコンテンツ流通方法であって、
予め、第１のサーバとして動作するサーバコンピュータの記憶装置内に、販売対象のデジタルコンテンツを格納しておくとともに、第２のサーバとして動作するサーバコンピュータにデジタルコンテンツを有体媒体に化体させる出力装置を接続しておき、
コンピュータネットワークを通じて何れかの端末から送信されて来た何れかの販売対象デジタルコンテンツを指定するコンテンツ指定情報，その購入数を指定する数指定情報，及び、引渡先を指定する引渡先指定情報を含むメッセージを前記第１のサーバが受信すると、
当該第１のサーバが、当該メッセージに含まれるコンテンツ指定情報によって指定されたデジタルコンテンツを前記記憶装置から読み出し、このデジタルコンテンツを、前記メッセージに含まれる前記数指定情報及び引渡先指定情報とともに前記第２のサーバに渡し、
当該第２のサーバが、前記出力装置を用いて、前記第１のサーバから渡された前記デジタルコンテンツをその種類に対応した有体媒体へ化体させることによって、前記第１のサーバから渡された前記数指定情報によって指定された個数の有体複製物を製造するとともに、当該有体複製物を前記第１のサーバから渡された前記引渡先指定情報によって指定された引渡先へ引き渡すための処理を実行する
ことを特徴とするデジタルコンテンツ流通方法。
【請求項２】
前記販売対象デジタルコンテンツは画像データであり、前記有体媒体は紙であり、前記出力装置はプリンタである
ことを特徴とする請求項１記載のデジタルコンテンツ流通方法。
【請求項３】
前記販売対象デジタルコンテンツは楽曲データであり、前記有体媒体はディスクメディアであり、前記出力装置はディスク装置である
ことを特徴とする請求項１記載のデジタルコンテンツ流通方法。
【請求項４】
前記記憶装置には、更に、各販売対象デジタルコンテンツに対応してその単価が記憶されており、
前記第１のサーバは、前記端末から送信されて来た要求に含まれるコンテンツ指定情報によって指定されたデジタルコンテンツに対応して前記記憶装置に記憶されている単価，及び、当該要求に含まれる数指定情報が指定する購入数に基づいて算出される代金を、当該端末を操作する者に対して請求するための処理を実行する
ことを特徴とする請求項１記載のデジタルコンテンツ流通方法。
【請求項５】
前記第１のサーバは、コンピュータネットワークを通じて何れかの端末からデジタルコンテンツ，その単価，その代金の支払先を含むメッセージを受信すると、このメッセージに含まれるデジタルコンテンツ，単価及び支払い先を前記記憶装置に記憶する
ことを特徴とする請求項４記載のデジタルコンテンツ流通方法。
【請求項６】
前記引渡先指定情報は、前記有体複製物を送付すべき住所を含み、
前記有体複製物を前記第１のサーバから渡された前記引渡先指定情報によって指定された引渡先へ引き渡すための処理には、当該引渡先指定情報に含まれる住所へ当該有体複製物を発送するための書類を印刷する処理が含まれる
ことを特徴とする請求項１記載のデジタルコンテンツ流通方法。
【請求項７】
コンピュータネットワークを通じて端末から送信された要求に応じて、その要求において指定されたデジタルコンテンツの有体複製物を製造し、同要求において指定された引渡先へ引き渡すためのデジタルコンテンツ流通システムであって、
販売対象デジタルコンテンツを格納した記憶手段と、
何れかの販売対象デジタルコンテンツを指定するコンテンツ指定情報，その購入数を指定する数指定情報，及び、引渡先を指定する引渡先指定情報を含むメッセージを、コンピュータネットワークを通じて、何れかの端末から受信する受注手段と、
当該受注手段が受信したメッセージに含まれるコンテンツ指定情報によって指定されたデジタルコンテンツを前記記憶装置から読み出す読出手段と、
当該読出手段が読み出したデジタルコンテンツを、当該デジタルコンテンツの種類に対応した有体媒体へ化体することによって、前記メッセージに含まれる前記数指定情報によって指定された個数の有体複製物を製造する出力装置と
を備えることを特徴とするデジタルコンテンツ流通システム。
【請求項８】
コンピュータネットワークを通じて端末から送信された要求に応じて、その要求において指定されたデジタルコンテンツの有体複製物を製造し、同要求において指定された引渡先へ引き渡すために、前記コンピュータネットワークに接続されたサーバコンピュータを、
販売対象デジタルコンテンツを格納した記憶手段，
何れかの販売対象デジタルコンテンツを指定するコンテンツ指定情報，その購入数を指定する数指定情報，及び、引渡先を指定する引渡先指定情報を含むメッセージを、コンピュータネットワークを通じて、何れかの端末から受信する受注手段，
当該受注手段が受信したメッセージに含まれるコンテンツ指定情報によって指定されたデジタルコンテンツを前記記憶装置から読み出す読出手段，及び
当該読出手段が読み出したデジタルコンテンツを、当該デジタルコンテンツの種類に対応した有体媒体へ化体することによって、前記メッセージに含まれる前記数指定情報によって指定された個数の有体複製物を製造する出力手段
として動作させるためのデジタルコンテンツ流通プログラム。
【発明の詳細な説明】
【技術分野】
【０００１】
本発明は、コンピュータネットワークを通じて、販売者からデジタルコンテンツを預かるとともに、購入者から特定のデジタルコンテンツの購入申込を受け付けることにより、当該デジタルコンテンツを有体媒体に化体した複製物（以下、「有体複製物」という）を自動的に生成して引き渡すためのデジタルコンテンツ流通方法，デジタルコンテンツ流通システム，及びデジタルコンテンツ流通プログラムに、関する。
【背景技術】
【０００２】
近年のデジタル技術及びインターネットの普及により、各種の著作物は、伝統的な有体複製物の形態ではなく、有体媒体から分離した形態，即ち、デジタルコンテンツ（データファイル）の形態で、オンラインでの取引が可能となっている。例えば、プログラムの著作物についてのプログラムデータファイル，写真の著作物や絵画の著作物における画像データファイル，映画の著作物におけるムービーデータファイル，音楽の著作物における楽曲データファイル，言語の著作物におけるテキストデータファイルの如くである。
【０００３】
そして、このようなオンラインでのデジタルコンテンツの売買を多対多でスムースに行うことができるように、複数の販売者から夫々デジタルコンテンツを預かるとともに、これを自己のサイト上に陳列して不特定多数又は特定多数の購入者からの購入申込を募り、購入申込を行った購入者に対して、その購入申込対象のデジタルコンテンツを送信するとともに、当該購入者からその代金を回収してその中から自己の手数料を引いた残りを当該デジタルコンテンツの販売者に支払う仲介サービスを行う業者も、存在している。
【発明の開示】
【発明が解決しようとする課題】
【０００４】
ところで、上に例示した各種デジタルコンテンツのうち、プログラムデータファイルについては、これを読み込んで実行する装置はデジタルコンテンツのオンライン売買に用いられたコンピュータ自体であるので、これを媒体に化体させることについては特に考慮する必要はない（即ち、プログラムデータファイルはハードディスク等のディスク装置に一時格納され、その後、所定のディレクトリにインストールされるだけである）。
【０００５】
しかしながら、それ以外の種類のデジタルコンテンツについては、それを当該コンピュータ上で使用する事も勿論可能ではあるものの、伝統的な有体複製物の形態で使用することを求める需要も依然として存在する。例えば、画像データファイルについては、その画像データが表す画像を高品質印画紙に印刷することによって、オリジナルプリントや複製画の如く鑑賞したいという需要がある。また、楽曲データファイルについても、その楽曲データを音楽ＣＤフォーマットに変換して光ディスクに書き込むことによって音楽ＣＤを作成し、これをＣＤプレーヤーで再生したいという需要がある。また、テキストデータファイルについても、そのテキストデータを紙の表裏にプリントして製本することによって、書籍として読みたいという需要がある。なお、ムービーデータファイルについても、送受信されるデータの容量が大きくなれば、それをＤＶＤ（ＭＰＥＧ２），ＶＨＳ，Ｄ−ＶＨＳ等のフォーマットに変換してこれらの媒体に録画することによって、これらを各種デッキ及びテレビモニターで再生したいという需要がある。
【０００６】
デジタルコンテンツを購入（受信）した購入者は、上述したようにしてデジタルコンテンツを各種有体複製物の形態で使用しようとする場合には、自ら、必要なハードウェアを揃えて、デジタルコンテンツを加工して各種有体複製物を作成するといった面倒な作業をしなければならなかった。そればかりか、受信したデジタルコンテンツの媒体への書き込みに対しても、そのデジタルコンテンツについての著作権（著作権法第２１条による複製権）が及ぶので、著作権法第３０条第１項の適用がある場合，及び、デジタルコンテンツの売買契約内で利用権原が規定されている場合を除き、当該購入者は当該デジタルコンテンツについての著作権者と別途複製権の利用許諾契約を結ばなければならなかった。他方、デジタルコンテンツの販売者は、デジタルコンテンツそのものを購入者に引き渡す事に因り、当該購入者が当該デジタルコンテンツを無制限にコピーされたり意図せぬ態様で利用されるリスクを、負わなければならなかった。
【０００７】
本発明は、従来のデジタルコンテンツのオンライン売買における上述した問題点を解決するために案出されたものであり、その課題は、デジタルコンテンツに対する購入者からの購入申込みをオンラインで受け付けるが、当該デジタルコンテンツをデジタルデータのままの形態で引き渡すのではなく、当該デジタルコンテンツを有体媒体に化体させた有体複製物として引き渡すデジタルコンテンツ流通方法，デジタルコンテンツ流通システム，及びデジタルコンテンツ流通プログラムの提供である。
【課題を解決するための手段】
【０００８】
上記課題を解決するために案出された本発明によるデジタルコンテンツ流通方法は、コンピュータネットワークを通じて端末から送信された要求に応じて、その要求において指定されたデジタルコンテンツの有体複製物を製造し、同要求において指定された引渡先へ引き渡すためのデジタルコンテンツ流通方法であって、予め、第１のサーバとして動作するサーバコンピュータの記憶装置内に、販売対象のデジタルコンテンツを格納しておくとともに、第２のサーバとして動作するサーバコンピュータにデジタルコンテンツを有体媒体に化体させる出力装置を接続しておき、コンピュータネットワークを通じて何れかの端末から送信されて来た何れかの販売対象デジタルコンテンツを指定するコンテンツ指定情報，その購入数を指定する数指定情報，及び、引渡先を指定する引渡先指定情報を含むメッセージを前記第１のサーバが受信すると、当該第１のサーバが、当該メッセージに含まれるコンテンツ指定情報によって指定されたデジタルコンテンツを前記記憶装置から読み出し、このデジタルコンテンツを、前記メッセージに含まれる前記数指定情報及び引渡先指定情報とともに前記第２のサーバに渡し、当該第２のサーバが、前記出力装置を用いて、前記第１のサーバから渡された前記デジタルコンテンツをその種類に対応した有体媒体へ化体させることによって、前記第１のサーバから渡された前記数指定情報によって指定された個数の有体複製物を製造するとともに、当該有体複製物を前記第１のサーバから渡された前記引渡先指定情報によって指定された引渡先へ引き渡すための処理を実行することを、特徴とする。
【０００９】
同様に、上記課題を解決するために案出された本発明によるデジタルコンテンツ流通システムは、コンピュータネットワークを通じて端末から送信された要求に応じて、その要求において指定されたデジタルコンテンツの有体複製物を製造し、同要求において指定された引渡先へ引き渡すためのデジタルコンテンツ流通システムであって、販売対象デジタルコンテンツを格納した記憶手段と、何れかの販売対象デジタルコンテンツを指定するコンテンツ指定情報，その購入数を指定する数指定情報，及び、引渡先を指定する引渡先指定情報を含むメッセージを、コンピュータネットワークを通じて、何れかの端末から受信する受注手段と、当該受注手段が受信したメッセージに含まれるコンテンツ指定情報によって指定されたデジタルコンテンツを前記記憶装置から読み出す読出手段と、当該読出手段が読み出したデジタルコンテンツを、当該デジタルコンテンツの種類に対応した有体媒体へ化体することによって、前記メッセージに含まれる前記数指定情報によって指定された個数の有体複製物を製造する出力装置とを、備えることを特徴とする。
【００１０】
同様に、上記課題を解決するために案出された本発明によるデジタルコンテンツ流通プログラムは、コンピュータネットワークを通じて端末から送信された要求に応じて、その要求において指定されたデジタルコンテンツの有体複製物を製造し、同要求において指定された引渡先へ引き渡すために、前記コンピュータネットワークに接続されたコンピュータを、販売対象デジタルコンテンツを格納した記憶手段，何れかの販売対象デジタルコンテンツを指定するコンテンツ指定情報，その購入数を指定する数指定情報，及び、引渡先を指定する引渡先指定情報を含むメッセージを、コンピュータネットワークを通じて、何れかの端末から受信する受注手段，当該受注手段が受信したメッセージに含まれるコンテンツ指定情報によって指定されたデジタルコンテンツを前記記憶装置から読み出す読出手段，及び、当該読出手段が読み出したデジタルコンテンツを、当該デジタルコンテンツの種類に対応した有体媒体へ化体することによって、前記メッセージに含まれる前記数指定情報によって指定された個数の有体複製物を製造する出力手段として、動作させる。
【００１１】
以上のような各形態の構成を有する本発明によれば、記憶装置（記憶手段）に格納されている何れかの販売対象デジタルコンテンツの有体複製物の購入を希望する購入者は、コンピュータネットワークに接続された端末を操作することによって、対象デジタルコンテンツを指定するコンテンツ指定情報，有体複製物の希望購入数を指定する数指定情報，及び、引渡先を指定する引渡先指定情報を含むメッセージを、コンピュータネットワークを通じて、第１のサーバ（サーバコンピュータ，デジタルコンテンツ流通システム）へ送信する。すると、第１のサーバ（受信手段）がこのメッセージを受信し、第１のサーバ（読出手段）が、当該メッセージに含まれるコンテンツ指定情報によって指定されたデジタルコンテンツを記憶装置から読み出す。次に、第２のサーバ（出力手段）が、出力装置を用いて、当該デジタルコンテンツをその種類に対応した有体媒体へ化体させることによって、前記メッセージ中の数指定情報によって指定された個数の有体複製物を製造する。このように製造された有体複製物は、前記メッセージ中の引渡情報によって指定された引き渡し先へ引き渡される。従って、購入者は、デジタルコンテンツそのものではなくその有体複製物を入手することになるので、そのデジタルコンテンツを利用するために自ら有体複製物を製造する必要が全くない。よって、有体複製物を製造するためのハードウェアを事前に準備しなくても済むとともに、有体複製物を製造するための法的手続きや作業の手間を掛ける必要もない。他方、デジタルコンテンツの権利者は、デジタルコンテンツ自体を購入者に引き渡す事に起因するリスク，即ち、購入者によってデジタルコンテンツが無制限に複製されたり意図せぬ形態で利用されてしまうリスクを、回避することができる。
【００１２】
本発明において、デジタルコンテンツとは、例えば、写真や絵画等の画像データ，ムービーデータ，テキストデータ，楽曲データ等、有体媒体に化体させた状態で使用される著作物をいう。なお、画像データの場合には有体媒体とは紙であり、ムービーデータの場合にはディスクメディアやビデオテープ等であり、テキストデータの場合には紙であり、楽曲データの場合にはディスクメディアやカセットテープ等である。
【００１３】
販売対象のデジタルコンテンツは、予めサーバコンピュータの運用者によって事前に用意されたものであっても良いし、権利者から受託したものであっても良い。この権利者からのデジタルコンテンツ販売の受託は、コンピュータネットワークを通じたオンラインにて行われることが望ましい。
【００１４】
製造されたデジタルコンテンツの有体複製物は、送付されることによって引渡先へ引き渡されても良いし、直接手渡されても良い。前者の場合には、引き渡しのための処理としては、郵便封筒や荷札への引渡先の住所及び氏名を印刷することや運送業者への依頼電文の送信が含まれ、後者の場合には、引き渡しのための処理としては、引渡先への通知電文の送信が含まれる。即ち、引渡先指定情報には、引渡先である個人や団体の氏名又は名称若しくはその識別情報，住所又は居所若しくはその識別情報，電話番号，等が、含まれ得る。
【発明の効果】
【００１５】
以上のように構成された本発明によるデジタルコンテンツ流通方法，デジタルコンテンツ流通システム，及びデジタルコンテンツ流通プログラムによれば、デジタルコンテンツに対する購入者からの購入申込みをオンラインで受け付けるが、当該デジタルコンテンツをデジタルデータの形態で引き渡すのではなく、当該デジタルコンテンツを有体媒体に化体させた有体複製物が引き渡されることになる。その結果、従来における問題点は悉く解決される。
【発明を実施するための最良の形態】
【００１６】
以下、図面に基づいて、本発明によるデジタルコンテンツ流通方法を実施するための形態を、説明する。
【００１７】
（システム構成）
図１は、上記デジタルコンテンツ流通方法が実現されているネットワークシステムの概略構成を示すブロック図である。この図１に示されるように、このネットワークシステムは、インターネットＮによって互いに接続されたコンテンツ販売サーバ１１，有体複製物製造発送サーバ１３，複数の購入者端末２（図１においては１台のみ図示）及び複数の販売者端末３（図１においては１台のみ図示）から、構成されている。
【００１８】
図１に示された購入者端末２は、一般的なインターネットアクセス可能なパーソナルコンピュータであり、バスＢを介して相互に接続されたＣＰＵ２０，通信アダプタ２１，入力装置２３，ディスプレイ２２，ハードディスク２５，及びＲＡＭ２４から、構成されている。ＣＰＵ２０は、ハードディスク２５に格納されている各種プログラムを順次ＲＡＭ２４上に読み出して実行することによってその処理結果をディスプレイ２２上に表示する処理装置である。通信アダプタ２１は、ＣＰＵ２０による制御に従ってＣＰＵ２０から受け取った信号をインターネットが構築されている物理回線に適した信号形態に変換するとともに、インターネットから受信した信号をＣＰＵ２０が処理可能な信号形態に変換するモデム等の装置である。入力装置２３は、ＣＰＵ２０が上記プログラムに従った処理を実行する際にオペレータが各種命令を入力するためのマウス等のポインティングデバイスやキーボードである。
【００１９】
ＣＰＵ２０がハードディスク２５からＲＡＭ２４上に読み出して実行するプログラムには、図示せぬオペレーションシステム（ＯＳ）の他、Ｗｅｂブラウザ２６が、含まれている。オペレーションシステムは、購入者端末２を構成する各ハードウェアを制御する機能や、インターネットに対する通信機能（即ち、ＴＣＰ／ＩＰに従った通信機能）を実現する基本プログラムである。また、Ｗｅｂブラウザ２６は、ＣＰＵ２０によって読み出されて実行されることによって、入力装置２３を介して入力又は指定された情報を格納したＨＴＴＰリクエストメッセージをインターネット経由で各種サーバ（例えば、コンテンツ販売サーバ１１）へ送信するとともに、このＨＴＴＰリクエストメッセージに対応してインターネット経由で受信したＨＴＴＰレスポンスメッセージに格納されたウェブコンテンツ（ＨＴＭＬデータ等）に基づいて、ディスプレイ２２上に画面表示を行う。
【００２０】
販売者端末３も、購入者端末２と同様に、一般的なインターネットアクセス可能なパーソナルコンピュータであり、バスＢを介して相互に接続されたＣＰＵ３０，通信アダプタ３１，入力装置３３，ディスプレイ３２，ハードディスク３５，及びＲＡＭ３４から、構成されている。販売者端末３を構成するこれら各ハードウェアの機能は、購入者端末２のものと全く同じであるので、その説明を省略する。但し、そのハードディスク３５には、この販売者端末３を運用する販売者が販売を希望するデジタルコンテンツのデータファイルが格納されている。
【００２１】
コンテンツ販売サーバ１１は、インターネットＮを介して販売者端末３から受信した販売データ登録画面要求（ＨＴＴＰリクエスト）に応じて、販売データ登録画面（図２参照）をディスプレイ３２上に表示させるためのＨＴＭＬデータを販売者端末へ返送し、この販売データ登録画面に入力されたファイル名が示すデータファイル及び販売代金等の販売条件を含むデータ登録要求を受信してデータベース（登録データＤＢ［データベース］１２２１）に登録するとともに、インターネットＮを介して購入者端末２から受信した注文画面要求（ＨＴＴＰリクエスト）に応じて、注文画面（画像データの場合に用いられるプリント注文画面につき図３参照）をディスプレイ２２上に表示させるためのＨＴＭＬデータを購入者端末２へ返送し、この注文画面上で数量が指定されたデジタルコンテンツを読み出して、そのデジタルコンテンツの有体複製物の作成及び当該注文画面上で指定された発送先への発送をインターネットＮを介して有体複製物製造発送サーバ１３に対して依頼する依頼メッセージを送信し、当該購入者に課金するサーバコンピュータ（第１のサーバ）である。
【００２２】
コンテンツ販売サーバ１１のハードウェアは、互いにバスＢによって接続されたＣＰＵ１１０，通信アダプタ１１１，ＲＡＭ１１２及びハードディスク１１３から、構成されている。これらのうち、ＣＰＵ１１０は、コンテンツ販売サーバ１１全体の制御を行う中央処理装置である。また、ＲＡＭ１１２は、ＣＰＵ１１０が各種処理を実行するに際しての作業領域が展開される主記憶装置である。また、通信アダプタ１１１は、インターネットＮが構築されている回線（インターネットバックボーン）とのインターフェースをなす通信装置である。
【００２３】
ハードディスク１１３は、ＣＰＵ１１０によって読み出されて実行される各種プログラム及び各種データを格納する外部記憶装置である。このハードディスク１３に格納されるデータとしては、会員ＤＢ［データベース］１２２０，登録ＤＢ１２２１及び注文ＤＢ１２２２が含まれており、プログラムとしては、ＲＡＭ１１２上に読み出されることによってＣＰＵ１１０に対して上述した処理を実行させるコンテンツ販売サーバプログラム１１２１が含まれている。このコンテンツ販売サーバプログラム１１２１による処理の実施例については、フローチャートを参照して、後で説明する。会員ＤＢ１２２０は、図４に示すように、当該コンテンツ販売サーバ１１を運用するサービス業者に対して予め当該コンテンツ販売サーバ１を用いたサービスの会員として加入契約を結んだ購入者及び販売者について、夫々の会員番号，クレジットカードのカード番号等の決済情報が記録されている。また、登録データＤＢ１２２１には、図９及び図１５に示すように、上述したようにして販売者端末３から受信した各販売対象デジタルコンテンツ毎に、そのデジタルコンテンツのデータファイル（図９においては「画像データ」，図１５においては「楽曲データ」），そのデジタルコンテンツの販売を委託した販売者の会員番号，そのデジタルコンテンツに一意に附されたデータ番号（図９においては「画像番号」，図１５においては「楽曲番号」），及び、そのデジタルコンテンツの販売価格（単価）が、登録されている。また、注文ＤＢ１２２２には、図１０及び図１６に示すように、購入者端末から注文メッセージを受ける毎に、その注文メッセージの受信日時（注文日時），その注文メッセージに添付された発注元購入者の会員番号又は決済情報，同じくその注文メッセージに添付された発送先住所（引渡先指定情報），同じくその依頼メッセージに添付されたデータ番号（図１０においては「画像番号」，図１６においては「楽曲番号」）（コンテンツ指定情報）及び購入枚数（数指定情報）が、登録されている。
【００２４】
有体複製物製造発送サーバ１３は、インターネットＮを介してコンテンツ販売サーバ１１から受信した有体複製物の製造及び発送の依頼メッセージに応じて、この依頼メッセージに添付されたデジタルコンテンツをそれに対応する記録媒体（例えば、楽曲データの場合にはコンパクトディスク，画像データの場合には上質紙）に記録するとともに、運送業者用の荷札を印刷して運送業者の受注用コンピュータシステム（図示略）に対して運送の発注を行うサーバコンピュータ（第２のサーバ）である。
【００２５】
有体複製物製造発送サーバ１３のハードウェアは、互いにバスＢによって接続されたＣＰＵ１３０，通信アダプタ１３１，ＲＡＭ１３２，ハードディスク１３３，ディスクドライブ装置１３４及び印刷装置１３５から、構成されている。これらのうち、ＣＰＵ１３０は、有体複製物製造発送サーバ１３全体の制御を行う中央処理装置である。また、ＲＡＭ１３２は、ＣＰＵ１３０が各種処理を実行するに際しての作業領域が展開される主記憶装置である。また、通信アダプタ１３１は、インターネットＮが構築されている回線（インターネットバックボーン）とのインターフェースをなす通信装置である。
【００２６】
ハードディスク１３３は、ＣＰＵ１３０によって読み出されて実行される各種プログラム１００及び各種データを格納する外部記憶装置である。このハードディスク１３に格納されるデータとしては、受注ＤＢ［データベース］１３３１が含まれ、プログラム１００としては、ＲＡＭ１３２上に読み出されることによってＣＰＵ１３０に対して上述した処理を実行させる有体複製物製造発送サーバプログラム１３２１が含まれている。この有体複製物製造発送サーバプログラム１３２１による処理の実施例については、フローチャートを参照して、後で説明する。受注ＤＢ１３３１には、上述したようにしてコンテンツ販売サーバ１１から有体複製物の製造及び発送の依頼メッセージを受ける毎に、その依頼メッセージに添付された一又は複数組の画像データ及びその購入枚数，同じくその依頼メッセージに添付された発送先郵便番号，住所及び電話番号が、登録される。
【００２７】
ディスクドライブ装置１３４は、ＣＰＵ１３０の制御下に、デジタルコンテンツ（楽曲データ，ムービーデータ）を有体媒体としてのディスクメディア（著作権法第２条第１項第２０号規定の技術的保護手段を備えたコンパクトディスク，ミニディスク，ＤＶＤ等）に記録するための出力装置としてのディスク装置である。なお、このディスクドライブ装置１３４は、記録の終わったディスクを発送用に梱包する機構を有する装置に組み込まれていることが望ましい。
【００２８】
印刷装置１３５は、ＣＰＵ１３０の制御下に、デジタルコンテンツ（画像データ，テキストデータ）を有体媒体としての紙に印刷したり、運送業者に対する荷札を印刷するための出力装置である。なお、この印刷装置１３５は、テキストデータが印刷された紙を本の形態に製本する機構を備えていることが望ましく、また、画像データが印刷された紙及び製本された本を発送用に梱包する機構を有する装置に組み込まれていることが望ましい。
【００２９】
以下、このシステムによって実現されるコンテンツ販売方法の実施例を、販売対象デジタルコンテンツが画像データである場合と、販売対象デジタルコンテンツが楽曲データである場合とで、夫々、コンテンツ販売サーバプログラム１１２１及び有体複製物製造発送サーバプログラム１３２１の内容を用いて説明する。
【実施例１】
【００３０】
実施例１は、販売対象デジタルコンテンツが画像データである場合の例である。
【００３１】
（コンテンツ販売サーバプログラム）
コンテンツ販売サーバ１１は、上述したインターネットＮを介して販売者端末３から受信した販売データ登録画面要求（ＨＴＴＰリクエスト）に応じて、販売データ登録画面を表示させるためのＨＴＭＬデータを含むレスポンスメッセージを、販売者端末３へ応答する。この販売データ登録画面には、図２に示されるように、販売を依頼するためのアップロード対象デジタルコンテンツのパス（販売者端末３のハードディスク３５内におけるパス）を指定するパス欄４１，指定される販売代金が記入される販売金額欄４２，及び、各種販売条件が指定されるチェックボックス群４３が複数コンテンツ分備えられているとともに、アップロードボタン４４及びキャンセルボタン４５が含まれている。そして、このＨＴＭＬデータには、何れかのパス欄４１及び販売金額欄４２にパス及び販売価格が夫々書き込まれるとともに、任意のチェックボックス４３がチェックされた状態でアップロードボタン４４がクリックされた時に、当該パス欄４１に記入されているパスが示すデータファイルをＰＯＳＴプロトコルにてコンテンツ販売サーバ１１へ送信するとともに販売金額欄４２に記入されている販売価格及びチェックされたチェックボックスを特定する情報をパラメータとして通知するデータ登録ＨＴＭＬリクエストメッセージをコンテンツ販売サーバ１１へ送信させる設定が、含まれている。
【００３２】
このデータ登録ＨＴＭＬリクエストメッセージを受信したコンテンツ販売サーバ１１では、コンテンツ販売サーバプログラム１１２１に従って、ＣＰＵ１１０が、図５に示すデータ登録処理を開始する。このデータ登録処理を開始して最初のＳ００１では、コンテンツ販売サーバ１１は、受信したＨＴＭＬリクエストメッセージに含まれるデジタルコンテンツファイル，販売価格，販売条件を、登録データとして受け付ける。
【００３３】
次のＳ００２では、ＣＰＵ１１０は、Ｓ００１にて受け付けた販売条件にサムネイルを表示する旨が含まれるか否かに基づいて、サンプル画像を自動作成するか否かをチェックする。そして、サンプル画像を自動作成しないのであれば、処理をそのままＳ００４へ進め、サンプル画像を自動作成するのであれば、Ｓ００３において、Ｓ００１にて受け付けたデータファイル中の画像データを元に、サンプル画像の画像データを作成する。Ｓ００３を完了すると、ＣＰＵ１１０は、処理をＳ００４へ進める。
【００３４】
Ｓ００４では、ＣＰＵ１１０は、Ｓ００１にて受け付けた登録データ，及び、Ｓ００３を実行した場合にはサンプル画像データを、当該登録データに含まれる画像データに一意に割り当てられた画像番号とともに、登録ＤＢ１２２１に登録する。Ｓ００４を完了すると、ＣＰＵ１１０は、このデータ登録処理を終了する。
【００３５】
一方、コンテンツ販売サーバ１１は、上述したインターネットＮを介して購入者端末２から受信した注文画面要求（ＨＴＴＰリクエスト）に応じて、登録データＤＢ１２２１から読み出した登録データに基づいて注文画面を表示させるためのＨＴＭＬデータを生成し、このＨＴＭＬデータを含むレスポンスメッセージを購入者端末２へ応答する。この注文画面には、図３に示されるように、販売中のデジタルコンテンツ毎に、そのデジタルコンテンツのサンプル画像５０，そのデジタルコンテンツの購入枚数を指定するための枚数記入欄５１，そのデジタルコンテンツの販売価格が含まれている。また、この注文画面には、要求元購入者端末２の操作者，即ち、購入者の氏名を記入するための氏名欄５２，そのデジタルコンテンツの有体複製物の送付先郵便番号，住所及び電話番号を夫々記入するための郵便番号欄５３，住所欄５４及び電話番号欄５５，発送方法を指定するための発送方法オプションボタン５６，支払方法を指定するための支払方法オプションボタン５７，確認ボタン５８，並びに、キャンセルボタン５９が含まれているとともに、購入者の会員番号が表示されている。そして、このＨＴＭＬデータには、何れかの枚数欄５１に数字が記入されるとともに、各欄５２〜５６に有効な情報が書き込まれ、配送方法オプションボタン５６の何れかがチェックされ、且つ、支払方法オプションボタン５７の何れかがチェックされた状態で確認ボタン５８がクリックされた時に、各欄５１〜５５に記入された情報，並びに、チェックされた配送方法オプションボタン５６及び支払方法オプションボタン５７を示す情報をパラメータとして含むプリント発注ＨＴＭＬリクエストメッセージをコンテンツ販売サーバ１１へ送信させる設定が、含まれている。
【００３６】
このプリント発注ＨＴＭＬリクエストメッセージを受信したコンテンツ販売サーバ１１では、コンテンツ販売サーバプログラム１１２１に従って、ＣＰＵ１１０が、図６に示すプリント注文処理を開始する。このプリント注文処理を開始して最初のＳ１０１では、コンテンツ販売サーバ１１は、受信したプリント発注ＨＴＭＬリクエストメッセージに含まれるプリント注文情報（購入枚数が記入された枚数記入欄５１に対応した画像データの画像番号，枚数記入欄５１に記入された購入枚数，購入者の氏名及び会員番号，送付先郵便番号，住所及び電話番号，発送方法，並びに、支払方法）を、受け付ける。
【００３７】
次のＳ１０２では、ＣＰＵ１１０は、Ｓ１０１にて受け付けたプリント注文情報を、注文日時を示す現在日時とともに、注文データベース１２２２に保存する。
【００３８】
次のＳ１０３では、ＣＰＵ１１０は、Ｓ１０１にて受け付けたプリント注文情報に含まれる各画像番号に対応付けられて登録データＤＢ１２２１に格納されている画像データ，その画像番号に対応した購入枚数，送付先郵便番号，住所及び電話番号及び発送方法を含むプリント依頼リクエストメッセージを、有体複製物製造発送サーバ１３へ送信する。Ｓ１０３を完了すると、ＣＰＵ１１０は、このプリント注文処理を終了する。
【００３９】
（有体複製物製造発送サーバプログラム）
プリント発注ＨＴＴＰリクエストメッセージを受信した有体複製物製造発送サーバ１３では、有体複製物製造発送サーバプログラム１３２１に従って、ＣＰＵ１１０が、図７に示すプリント注文処理を開始する。このプリント注文処理を開始して最初のＳ２０１では、ＣＰＵ１１０は、受信したプリント依頼メッセージに含まれる依頼の内容（一又は複数組の画像データ及びその購入枚数を示す情報，送付先郵便番号，住所及び電話番号，並びに、発送方法）を、受け付ける。
【００４０】
次のＳ２０２では、ＣＰＵ１１０は、Ｓ２０１にて受け付けた依頼の内容を、受注データベース１３３１に保存する。
【００４１】
次のＳ２０３では、ＣＰＵ１１０は、Ｓ２０１にて受け付けた依頼の内容に含まれる各画像データに基づいた画像の上質紙への印刷を、夫々に対応する購入枚数分、印刷装置１３５に行わせる。
【００４２】
次のＳ２０４では、ＣＰＵ１１０は、Ｓ２０３にて印刷された印刷結果を引渡先へ発送するための処理を実行する。具体的には、ＣＰＵ１１０は、Ｓ２０１にて受け付けた注文の内容に含まれる郵便番号，住所，電話番号を発送先とした伝票及び荷札を印刷装置１３５により印刷させ、インターネットＮを介して、図示せぬ運送業者のコンピュータシステムに対して、集荷及び運送を依頼する電文を送信する。
【００４３】
次のＳ２０５では、ＣＰＵ１１０は、コンテンツ販売サーバ１１に対して、発送の完了を通知する。Ｓ２０５を完了すると、ＣＰＵ１１０は、このプリント注文処理を終了する。
【００４４】
（システム動作）
次に、図８を参照して、本システムを通じて画像データを売買する際における情報の動きを説明する。
【００４５】
最初に、販売者が、販売者端末３を操作して、画像データをコンテンツ販売サーバ１１の登録ＤＢ１２２１に登録する（Ｓ００１〜Ｓ００４：(1)）。
【００４６】
その後、購入者が、購入者端末２を操作して、何れかの画像データのプリントをコンテンツ販売サーバ１１に発注する（Ｓ１０１〜Ｓ１０２：(2)）。
【００４７】
すると、コンテンツ販売サーバ１１は、有体複製物製造販売サーバ１３に対して、プリント依頼メッセージを送信する（Ｓ１０３：(3)）。
【００４８】
すると、有体複製物製造販売サーバ１３は、プリント依頼メッセージに含まれる画像データに基づく画像の上質紙への印刷をその購入枚数分行って、運送業者を通じて購入者へ発送するとともに（Ｓ２０１〜Ｓ２０４：(4)）、コンテンツ販売サーバ１１に対して発送完了を通知する（Ｓ２０５：(5)）。
【００４９】
その後、コンテンツ販売サーバ１１は、Ｓ１０１にて受け付けてＳ１０２にて注文ＤＢ１２２２に保存された注文の内容に含まれる画像番号の単価に購入枚数及び税率を掛けることによって算出される代金を、送料とともに、同注文の内容に含まれる支払い方法を通じて、購入者に対して請求（又は課金）する(6)）。
【００５０】
このようにして回収された代金のうちの所定比率の部分及び送料は、コンテンツ販売サーバ１１の運用者から、有体複製物製造販売サーバ１３の運用者（即ち、プリント業者）へ支払われる(7)）。
【００５１】
他方、回収された代金のうちの所定比率の部分は、コンテンツ販売サーバ１１の運用者から販売者へ支払われる(8)）。その残りの金額が、このコンテンツ販売サーバ１１の運用者の収益として残ることになるのである。
【実施例２】
【００５２】
実施例２は、販売対象デジタルコンテンツが楽曲データである場合の例である。
【００５３】
（コンテンツ販売サーバプログラム）
コンテンツ販売サーバ１１は、上述したインターネットＮを介して販売者端末３から受信した販売データ登録画面要求（ＨＴＴＰリクエスト）に応じて、販売データ登録画面を表示させるためのＨＴＭＬデータを含むレスポンスメッセージを、販売者端末３へ応答する。この販売データ登録画面には、販売を依頼するためのアップロード対象デジタルコンテンツのパス（販売者端末３のハードディスク３５内におけるパス）を指定するパス欄，指定される販売代金が記入される販売金額欄，及び、各種販売条件が指定されるチェックボックス群が複数コンテンツ分備えられているとともに、アップロードボタンが含まれている。そして、このＨＴＭＬデータには、何れかのパス欄及び販売金額欄にパス及び販売価格が夫々書き込まれるとともに、任意のチェックボックスがチェックされた状態でアップロードボタンがクリックされた時に、当該パス欄に記入されているパスが示すデータファイルをＰＯＳＴプロトコルにてコンテンツ販売サーバ１１へ送信するとともに販売金額欄に記入されている販売価格及びチェックされたチェックボックスを特定する情報をパラメータとして通知するデータ登録ＨＴＭＬリクエストメッセージをコンテンツ販売サーバ１１へ送信させる設定が、含まれている。
【００５４】
このデータ登録ＨＴＭＬリクエストメッセージを受信したコンテンツ販売サーバ１１では、コンテンツ販売サーバプログラム１１２１に従って、ＣＰＵ１１０が、図１１に示すデータ登録処理を開始する。このデータ登録処理を開始して最初のＳ３０１では、コンテンツ販売サーバ１１は、受信したＨＴＭＬリクエストメッセージに含まれるデジタルコンテンツファイル，販売価格，販売条件を、登録データとして受け付ける。
【００５５】
次のＳ３０２では、ＣＰＵ１１０は、Ｓ３０１にて受け付けた販売条件に基づいて、サンプル楽曲を自動作成するか否かをチェックする。そして、サンプル楽曲を自動作成しないのであれば、処理をそのままＳ３０４へ進め、サンプル画像を自動作成するのであれば、Ｓ３０３において、Ｓ３０１にて受け付けたデータファイル中の楽曲データを元に、サンプル楽曲の楽曲データを作成する。Ｓ３０３を完了すると、ＣＰＵ１１０は、処理をＳ３０４へ進める。
【００５６】
Ｓ３０４では、ＣＰＵ１１０は、Ｓ３０１にて受け付けた登録データ，及び、Ｓ３０３を実行した場合にはサンプル楽曲データを、当該登録データに含まれる楽曲データに一意に割り当てられた楽曲番号とともに、登録ＤＢ１２２１に登録する。Ｓ３０４を完了すると、ＣＰＵ１１０は、このデータ登録処理を終了する。
【００５７】
一方、コンテンツ販売サーバ１１は、上述したインターネットＮを介して購入者端末２から受信した注文画面要求（ＨＴＴＰリクエスト）に応じて、登録データＤＢ１２２１から読み出した登録データに基づいて注文画面を表示させるためのＨＴＭＬデータを生成し、このＨＴＭＬデータを含むレスポンスメッセージを購入者端末２へ応答する。この注文画面には、販売中のデジタルコンテンツ毎に、そのデジタルコンテンツのサンプル楽曲を再生させるためのボタン，そのデジタルコンテンツの購入枚数を指定するための枚数記入欄，そのデジタルコンテンツの販売価格が含まれている。また、この注文画面には、要求元購入者端末２の操作者，即ち、購入者の氏名を記入するための氏名欄，そのデジタルコンテンツの有体複製物の送付先郵便番号，住所及び電話番号を夫々記入するための郵便番号欄，住所欄及び電話番号欄，発送方法を指定するための発送方法オプションボタン，支払方法を指定するための支払方法オプションボタン，並びに、確認ボタン５８が含まれているとともに、購入者の会員番号が表示されている。そして、このＨＴＭＬデータには、何れかの枚数欄に数字が記入されるとともに、各欄に有効な情報が書き込まれ、配送方法オプションボタンの何れかがチェックされ、且つ、支払方法オプションボタンの何れかがチェックされた状態で確認ボタンがクリックされた時に、各欄に記入された情報，並びに、チェックされた配送方法オプションボタン及び支払方法オプションボタンを示す情報をパラメータとして含むメディア作成発注ＨＴＭＬリクエストメッセージをコンテンツ販売サーバ１１へ送信させる設定が、含まれている。
【００５８】
このメディア作成発注ＨＴＭＬリクエストメッセージを受信したコンテンツ販売サーバ１１では、コンテンツ販売サーバプログラム１１２１に従って、ＣＰＵ１１０が、図１２に示すメディア作成注文処理を開始する。このメディア作成注文処理を開始して最初のＳ４０１では、コンテンツ販売サーバ１１は、受信したメディア作成発注ＨＴＭＬリクエストメッセージに含まれるメディア作成注文情報（購入枚数が記入された枚数記入欄に対応した楽曲データの楽曲番号，枚数記入欄に記入された購入枚数，購入者の氏名及び会員番号，送付先郵便番号，住所及び電話番号，発送方法，並びに、支払方法）を、受け付ける。
【００５９】
次のＳ４０２では、ＣＰＵ１１０は、Ｓ４０１にて受け付けたメディア作成注文情報を、注文日時を示す現在日時とともに、注文データベース１２２２に保存する。
【００６０】
次のＳ４０３では、ＣＰＵ１１０は、Ｓ４０１にて受け付けたメディア作成注文情報に含まれる各楽曲番号に対応付けられて登録データＤＢ１２２１に格納されている楽曲データ，その楽曲番号に対応した購入枚数，送付先郵便番号，住所及び電話番号及び発送方法を含むメディア作成依頼メッセージを、有体複製物製造発送サーバ１３へ送信する。Ｓ４０３を完了すると、ＣＰＵ１１０は、このメディア作成注文処理を終了する。
【００６１】
（有体複製物製造発送サーバプログラム）
メディア作成依頼メッセージを受信した有体複製物製造発送サーバ１３では、有体複製物製造発送サーバプログラム１３２１に従って、ＣＰＵ１１０が、図１３に示すメディア作成注文処理を開始する。このメディア作成注文処理を開始して最初のＳ５０１では、ＣＰＵ１１０は、受信したメディア作成依頼メッセージに含まれる依頼の内容（一又は複数組の楽曲データ及びその購入枚数を示す情報，送付先郵便番号，住所及び電話番号，並びに、発送方法）を、受け付ける。
【００６２】
次のＳ５０２では、ＣＰＵ１１０は、Ｓ５０１にて受け付けた依頼の内容を、受注データベース１３３１に保存する。
【００６３】
次のＳ５０３では、ＣＰＵ１１０は、Ｓ５０１にて受け付けた依頼の内容に含まれる各楽曲データのディスクメディアへの記録を、夫々に対応する購入枚数分、ディスクドライブ装置１３４に行わせる。
【００６４】
次のＳ５０４では、ＣＰＵ１１０は、Ｓ５０３にて楽曲データが記録されたディスクメディアを引渡先へ発送するための処理を実行する。具体的には、ＣＰＵ１１０は、Ｓ５０１にて受け付けた注文の内容に含まれる郵便番号，住所，電話番号を発送先とした伝票及び荷札を印刷装置１３５により印刷させ、インターネットＮを介して、図示せぬ運送業者のコンピュータシステムに対して、集荷及び運送を依頼する電文を送信する。
【００６５】
次のＳ５０５では、ＣＰＵ１１０は、コンテンツ販売サーバ１１に対して、発送の完了を通知する。Ｓ５０５を完了すると、ＣＰＵ１１０は、このメディア作成注文処理を終了する。
【００６６】
（システム動作）
次に、図１４を参照して、本システムを通じて楽曲データを売買する際における情報の動きを説明する。
【００６７】
最初に、販売者が、販売者端末３を操作して、楽曲データをコンテンツ販売サーバ１１の登録ＤＢ１２２１に登録する（Ｓ３０１〜Ｓ３０４：(1)）。
【００６８】
その後、購入者が、購入者端末２を操作して、何れかの楽曲データのメディア作成をコンテンツ販売サーバ１１に発注する（Ｓ４０１〜Ｓ４０２：(2)）。
【００６９】
すると、コンテンツ販売サーバ１１は、有体複製物製造販売サーバ１３に対して、メディア作成依頼メッセージを送信する（Ｓ４０３：(3)）。
【００７０】
すると、有体複製物製造販売サーバ１３は、メディア作成依頼メッセージに含まれる楽曲データに基づく楽曲のディスクメディアへの記録をその購入枚数分行って、運送業者を通じて購入者へ発送するとともに（Ｓ５０１〜Ｓ５０４：(4)）、コンテンツ販売サーバ１１に対して発送完了を通知する（Ｓ５０５：(5)）。
【００７１】
その後、コンテンツ販売サーバ１１は、Ｓ４０１にて受け付けてＳ４０２にて注文ＤＢ１２２２に保存された注文の内容に含まれる楽曲番号の単価に購入枚数及び税率を掛けることによって算出される代金を、送料とともに、同注文の内容に含まれる支払い方法を通じて、購入者に対して請求（又は課金）する(6)）。
【００７２】
このようにして回収された代金のうちの所定比率の部分及び送料は、コンテンツ販売サーバ１１の運用者から、有体複製物製造販売サーバ１３の運用者（即ち、メディア作成業者）へ支払われる(7)）。
【００７３】
他方、回収された代金のうちの所定比率の部分は、コンテンツ販売サーバ１１の運用者から販売者へ支払われる(8)）。その残りの金額が、このコンテンツ販売サーバ１１の運用者の収益として残ることになるのである。
【００７４】
以上に説明したように、本実施形態のデジタルコンテンツ流通方法によれば、購入者に対して、デジタルコンテンツは、有体媒体に化体した有体複製物として発送される。従って、購入者は、デジタルコンテンツを自ら有体物に化体させる必要がない。また、販売者も、デジタルコンテンツ自体を購入者へ送信してしまうことに起因する無制限の複製がなされるリスクや意図しない態様で利用されるリスクを、回避することができる。
【００７５】
本実施形態において、コンテンツ販売サーバ１１及び有体複製物製造発送サーバ１３は、別業者によって運営されていても良いが、同一の業者によって運営されても良い。更に、後者の場合には、コンテンツ販売サーバ１１及び有体複製物製造発送サーバ１３は、同一のサーバコンピュータ上に構築されても良い。
【００７６】
また、購入者は、第三者に対してデジタルコンテンツの有体複製物を贈りたい場合には、注文画面上において、引渡先として当該第三者の郵便番号，住所，電話番号を記入すれば良い。
【図面の簡単な説明】
【００７７】
【図１】本発明の一実施形態としてのネットワークシステムのブロック図
【図２】販売データ登録画面を示す図
【図３】プリント注文画面を示す図
【図４】会員ＤＢのデータ構造を示す図
【図５】実施例１においてコンテンツ販売サーバプログラムに従って実行されるデータ登録処理の内容を示すフローチャート
【図６】実施例１においてコンテンツ販売サーバプログラムに従って実行されるプリント注文処理の内容を示すフローチャート
【図７】実施例１において有体複製物製造販売サーバプログラムに従って実行されるプリント注文処理の内容を示すフローチャート
【図８】実施例１におけるネットワークシステム全体の動作を示すシーケンス図
【図９】実施例１における登録データＤＢのデータ構造を示す図
【図１０】実施例１における注文ＤＢのデータ構造を示す図
【図１１】実施例２においてコンテンツ販売サーバプログラムに従って実行されるデータ登録処理の内容を示すフローチャート
【図１２】実施例２においてコンテンツ販売サーバプログラムに従って実行されるメディア作成注文処理の内容を示すフローチャート
【図１３】実施例２において有体複製物製造販売サーバプログラムに従って実行されるメディア作成注文処理の内容を示すフローチャート
【図１４】実施例２におけるネットワークシステム全体の動作を示すシーケンス図
【図１５】実施例２における登録データＤＢのデータ構造を示す図
【図１６】実施例２における注文ＤＢのデータ構造を示す図
【符号の説明】
【００７８】
２      購入者端末
３      販売者端末
１１      コンテンツ販売サーバ
１２      有体複製物製造発送サーバ
１１０      ＣＰＵ
１１３      ハードディスク
１３０      ＣＰＵ
１３３      ハードディスク
１３４      ディスクドライブ装置
１３５      印刷装置
１１２１      コンテンツ販売サーバプログラム
１２２１      登録データＤＢ
１２２２      注文ＤＢ
【図１】
2005092781.tif 000003
【図２】
2005092781.tif 000004
【図３】
2005092781.tif 000005
【図４】
2005092781.tif 000006
【図５】
2005092781.tif 000007
【図６】
2005092781.tif 000008
【図７】
2005092781.tif 000009
【図８】
2005092781.tif 000010
【図９】
2005092781.tif 000011
【図１０】
2005092781.tif 000012
【図１１】
2005092781.tif 000013
【図１２】
2005092781.tif 000014
【図１３】
2005092781.tif 000015
【図１４】
2005092781.tif 000016
【図１５】
2005092781.tif 000017
【図１６】
2005092781.tif 000018